(57)【要約】【課題】大量のデータが保存されている場合であっても、それらのデータの一覧を見やすく表示することができる表示装置、表示プログラム、および表示方法を提供することを目的とする。【解決手段】日時が対応付けられたデータの一覧を表示する表示装置において、データと対応付けられた日時を取得する日時取得部と、日時を、相互に長さが異なる３つの時間単位の組み合わせで表現するときの３つの時間単位それぞれを軸とする３次元空間を表示し、その３次元空間上における、日時取得部で取得された日時の位置に、上記データのアイコンを配置する３次元表示部と、３つの時間単位のうち、最も長い第１単位を含む２つの時間単位それぞれの軸を有する２次元空間を表示し、その２次元空間上における、日時取得部で取得された日時の位置に、その日時が対応付けられたデータが存在することを表わすマークを配置する２次元表示部とを備えた。【選択図】        図８
2011103697.tif 000002
【特許請求の範囲】
【請求項１】
コンピュータ内で実行され、日時が対応付けられたデータの一覧を表示するための表示プログラムにおいて、該コンピュータを、
前記データと対応付けられた日時を取得する日時取得部と、
日時を、相互に長さが異なる３つの時間単位の組み合わせで表現するときの該３つの時間単位それぞれを軸とする３次元空間を表示し、その３次元空間上における、前記日時取得部で取得された日時の位置に、前記データのアイコンを配置する３次元表示部と、
前記３つの時間単位のうち、最も長い第１単位を含む２つの時間単位それぞれの軸を有する２次元空間を表示し、その２次元空間上における、前記日時取得部で取得された日時の位置に、該日時が対応付けられたデータが存在することを表わすマークを配置する２次元表示部と、として機能させることを特徴とする表示プログラム。
【請求項２】
前記データは、映像を表わす映像データであることを特徴とする請求項１記載の表示プログラム。
【請求項３】
前記コンピュータを、更に、
前記２次元空間上の、前記第１単位の軸とは別の軸に沿った指定枠を表示する、操作に応じて該指定枠を該第１単位の軸に沿って移動させることにより、該第１単位の長さと同じ長さを有する時間領域を指定する指定部と、
前記３次元表示部に、前記指定部によって指定された時間領域を最前面にして前記アイコンを配置させる表示制御部と、としても機能させることを特徴とする請求項１又は２記載の表示プログラム。
【請求項４】
この表示プログラムは、所定の日時で区切られた複数の基準期間を有するものであり、
前記２次元表示部は、前記２次元空間を表示するに当たり、該２次元空間上の、１つの基準期間を表わす領域のみを表示するものであり、
前記３次元表示部は、前記３次元空間を表示するに当たり、該３次元空間上の、前記２次元表示部で表示された領域に対応する領域のみを表示するものであり、
前記表示制御部は、前記指定部によって、前記２次元空間上の、すでに表示されている基準期間を超えた日時まで前記指定枠が移動された場合に、前記２次元表示部に、該指定部によって移動された日時が属する基準期間を表わす領域に表示を切り替えさせるとともに、該３次元表示部にも、該２次元表示部で切り替えられた領域に対応する領域に表示を切り替えさせるものであることを特徴とする請求項３記載の表示プログラム。
【請求項５】
前記コンピュータを、更に、前記基準期間の長さを指定する期間指定部としても機能させ、
前記２次元表示部は、前記２次元空間上の、前記期間指定部で指定された長さで区切った１つの基準期間を表わす領域のみを表示するものであることを特徴とする請求項４記載の表示プログラム。
【請求項６】
前記コンピュータを、更に、前記指定部によって指定された時間領域内の日時が対応付けられたデータの数を表示するデータ数表示部としても機能させることを特徴とする請求項３又は４記載の表示プログラム。
【請求項７】
前記コンピュータを、更に、前記２次元空間上に配置されたマークを指定することで、該マークが配置された位置が表わす日時と対応付けられたデータを選択するマーク選択部としても機能させることを特徴とする請求項１から６のうちのいずれか１項記載の表示プログラム。
【請求項８】
前記３次元表示部は、前記３次元空間を表示するに当たり、該３次元空間上の、アイコンを配置していない領域を省いて表示するものであることを特徴とする請求項１から７のうちのいずれか１項記載の表示プログラム。
【請求項９】
前記コンピュータを、更に、
前記３次元空間上に配置されたアイコンのうちの１つのアイコンを指定することで、該アイコンと前記第１単位の軸方向に並んだアイコンをまとめて選択するアイコン選択部と、
前記アイコン選択部によって選択されたアイコンを強調表示するアイコン強調表示部と、としても機能させることを特徴とする請求項１から８のうちのいずれか１項記載の表示プログラム。
【請求項１０】
前記コンピュータを、更に、
前記３次元空間上に配置されたアイコンのうちの１つのアイコンを指定することで、該アイコンと週の軸方向に並んだアイコンをまとめて選択するアイコン選択部と、
前記２次元空間上に配置されたマークのうち、前記アイコン選択部において選択されたアイコンに対応したマークを強調表示するマーク強調表示部と、としても機能させることを特徴とする請求項１から９のうちのいずれか１項記載の表示プログラム。
【請求項１１】
前記データは、番組を表した、該番組の配信日時が対応付けられた番組データであり、
前記日時取得部は、前記配信日時を取得するものであることを特徴とする請求項１から１０のうちのいずれか１項記載の表示プログラム。
【請求項１２】
前記３次元表示部は、時間、曜日、および週それぞれを軸とする３次元空間を表示し、その３次元空間上における、前記日時取得部で取得された配信日時の位置に、前記番組のアイコンを配置するものであり、
前記２次元表示部は、曜日および週それぞれを軸とする２次元空間を表示し、その２次元空間上における、前記日時取得部で取得された配信日時の日に対応する位置に、該日に配信された番組が存在することを表わすマークを配置するものであることを特徴とする請求項１１記載の表示プログラム。
【請求項１３】
前記データは、被写体を撮影した撮影画像を表した、該撮影画像の撮影日時が対応付けられた撮影画像データであり、
前記日時取得部は、前記撮影日時を取得するものであることを特徴とする請求項１から１０のうちのいずれか１項記載の表示プログラム。
【請求項１４】
前記３次元表示部は、日、および時間を含む３つの時間単位それぞれを軸とする３次元空間を表示し、その３次元空間上における、前記日時取得部で取得された撮影日時の位置に、前記撮影画像のアイコンを配置するものであり、
前記２次元表示部は、日、および時間それぞれを軸とする２次元空間を表示し、その２次元空間上における、前記日時取得部で取得された撮影日時に対応する位置に、該撮影日時に撮影された撮影画像が存在することを表わすマークを配置するものであることを特徴とする請求項１３記載の表示プログラム。
【発明の詳細な説明】
【技術分野】
【０００１】
本発明は、日時が対応付けられたデータの一覧を表示するための表示プログラムに関する。
【背景技術】
【０００２】
近年、パーソナルコンピュータにテレビ用の電波を受信するアンテナやテレビチューナーが内蔵されてきており、パーソナルコンピュータを使ってテレビ番組を閲覧したり、配信されたテレビ番組を録画したりすることが広く行われてきている。近年では、インターネット回線を介してパーソナルコンピュータ専用の番組を無料で配信することも行われてきており、パーソナルコンピュータをテレビやビデオデッキの代わりに利用するユーザがますます増加すると予測されている。
【０００３】
ところで、パーソナルコンピュータは、大容量なハードディスク装置が備えられているため、残容量を気にせずに多数の番組を録画することができるうえ、ビデオテープを使ったビデオデッキなどとは異なり、録画番組を嵩張らずに保管することができる。さらに、録画番組をＤＶＤ等にコピーしたり、不要な録画番組を消去するといった作業が容易であるため、興味がある番組はとりあえず録画しておくというユーザが多い。このため、パーソナルコンピュータのハードディスク装置には、大量の番組が閲覧されずにたまってしまっている場合があり、このような状態で、録画された番組の中から所望の番組を探し出すことは大変困難であるという問題がある。
【０００４】
番組の一覧を表示する技術として、特許文献１、特許文献２、および特許文献３には、時刻、日、週などを軸とする３次元空間上に、配信される予定の番組の番組タイトルが配置された番組表を表示する技術について記載されている。これらの技術は、配信される予定の番組の一覧を表示するものであるが、録画された番組の一覧表示に流用することによって、それらの番組がいつ配信された番組なのかを素早く認識することができる。また、例えば、時刻、曜日、週を３軸とする３次元空間上に番組タイトルが配置されることによって、毎週、同じ曜日の同じ時間に配信される連続ドラマなどでは番組タイトルが同一直線上に並べられるため、それらを連続して閲覧する場合などに、容易に番組を選択することができる。
【先行技術文献】
【特許文献】
【０００５】
【特許文献１】特開平１１−２５５４１号公報
【特許文献２】特開２００２−８４４６９号公報
【特許文献３】特開平１０−２４３３０９公報
【発明の概要】
【発明が解決しようとする課題】
【０００６】
しかし、従来の番組表に合わせて、縦軸と横軸に時刻や曜日を対応させると、同じ曜日の同じ時間に配信される連続ドラマなどが奥行方向に同一直線上に並べられるため、毎週欠かさずに録画したいと考えられるシリーズ番組の録画し忘れがないかなどを一目で確認することは困難である。
【０００７】
また、このような問題は、録画番組の一覧を表示する場合にのみ生じる問題ではなく、例えば、記録メディアに記録された撮影画像の一覧を表示する場合などのように、日時が対応付けられたデータの一覧を表示する場合に一般的に生じる問題である。
【０００８】
本発明は、上記事情に鑑み、大量のデータが保存されている場合であっても、それらのデータの一覧を見やすく表示することができる表示プログラムを提供することを目的とする。
【課題を解決するための手段】
【０００９】
上記目的を達成する本発明の表示プログラムは、コンピュータ内で実行され、日時が対応付けられたデータの一覧を表示するための表示プログラムにおいて、このコンピュータを、
上記データと対応付けられた日時を取得する日時取得部と、
日時を、相互に長さが異なる３つの時間単位の組み合わせで表現するときの３つの時間単位それぞれを軸とする３次元空間を表示し、その３次元空間上における、日時取得部で取得された日時の位置に、上記データのアイコンを配置する３次元表示部と、
３つの時間単位のうち、最も長い第１単位を含む２つの時間単位それぞれの軸を有する２次元空間を表示し、その２次元空間上における、日時取得部で取得された日時の位置に、その日時が対応付けられたデータが存在することを表わすマークを配置する２次元表示部と、
として機能させることを特徴とする。
【００１０】
本発明の表示プログラムによると、データのアイコンが、相互に長さが異なる３つの時間単位それぞれを軸とする３次元空間上の、そのデータと対応付けられた日時の位置に配置されるとともに、３つの時間単位のうち最も長い第１単位の軸を有する２次元空間の、データと対応付けられた日時の位置にマークが配置される。３次元空間上のアイコンの配置位置によって、どの日時にどのデータが対応付けられているのかを認識することができ、２次元空間上にマークが配置されているか否かを確認することによって、３次元空間上で奥行き方向に並んでしまうデータの存在を容易に認識することができる。
【００１１】
また、本発明の表示プログラムにおいて、上記データは、映像を表わす映像データであることが好ましい。
【００１２】
例えば、番組が録画された録画データや、被写体が撮影された撮影画像データなどといった映像データは、記憶装置などに大量に保存されていることが多いため、本発明の表示装置によって大きな効果を得ることができる。
【００１３】
また、本発明の表示プログラムは、コンピュータを、更に、上記２次元空間上の、第１単位の軸とは別の軸に沿った指定枠を表示する、操作に応じて指定枠を第１単位の軸に沿って移動させることにより、第１単位の長さと同じ長さを有する時間領域を指定する指定部と、
上記３次元表示部に、指定部によって指定された時間領域を最前面にしてアイコンを配置させる表示制御部と、としても機能させることが好ましい。
【００１４】
２次元空間上の指定枠を移動させることによって、３次元空間上の表示を容易に切り替えることができる。
【００１５】
また、本発明の表示プログラムにおいて、この表示プログラムは、所定の日時で区切られた複数の基準期間を有するものであり、
上記２次元表示部は、２次元空間を表示するに当たり、２次元空間上の、１つの基準期間を表わす領域のみを表示するものであり、
上記３次元表示部は、３次元空間を表示するに当たり、３次元空間上の、２次元表示部で表示された領域に対応する領域のみを表示するものであり、
上記表示制御部は、指定部によって、２次元空間上の、すでに表示されている基準期間を超えた日時まで指定枠が移動された場合に、２次元表示部に、指定部によって移動された日時が属する基準期間を表わす領域に表示を切り替えさせるとともに、３次元表示部にも、２次元表示部で切り替えられた領域に対応する領域に表示を切り替えさせるものであることが好ましい。
【００１６】
従来から、毎週、同じ時間に配信される連続ドラマなどといったシリーズ番組は、数ヶ月ごとに番組が入れ替えられることが多い。基準期間ごとに２次元空間および３次元空間の表示を切り替えることによって、例えば、同じシリーズの番組の録画状況をまとめて確認することができる。
【００１７】
また、本発明の表示プログラムにおいて、
「コンピュータを、更に、基準期間の長さを指定する期間指定部としても機能させ、
上記２次元表示部は、上記２次元空間上の、期間指定部で指定された長さで区切った１つの基準期間を表わす領域のみを表示するものである」
という形態は好ましい。
【００１８】
期間指定部としての機能によって、２次元空間で表示される基準期間を用途に応じて指定することができる。
【００１９】
また、本発明の表示プログラムにおいて、コンピュータを、更に、上記指定部によって指定された時間領域内の日時が対応付けられたデータの数を表示するデータ数表示部としても機能させることが好適である。
【００２０】
この好適な表示プログラムによると、指定部によって指定された時間領域内の日時と対応付けられたデータの数を容易に確認することができる。
【００２１】
また、本発明の表示プログラムにおいて、コンピュータを、更に、２次元空間上に配置されたマークを指定することで、そのマークが配置された位置が表わす日時と対応付けられたデータを選択するマーク選択部としても機能させることが好ましい。
【００２２】
マーク選択部としての機能によって、３次元空間上でアイコンが奥行き方向に並んでしまうデータを容易に選択することができる。
【００２３】
また、本発明の表示プログラムにおいて、上記３次元表示部は、３次元空間を表示するに当たり、３次元空間上の、アイコンを配置していない領域を省いて表示するものであることが好ましい。
【００２４】
アイコンが配置されていない領域が省かれることによって、必要な領域のみを拡大して、見やすく表示することができる。
【００２５】
また、本発明の表示プログラムにおいて、コンピュータを、更に、
上記３次元空間上に配置されたアイコンのうちの１つのアイコンを指定することで、そのアイコンと第１単位の軸方向に並んだアイコンをまとめて選択するアイコン選択部と、
アイコン選択部によって選択されたアイコンを強調表示するアイコン強調表示部と、としても機能させることが好適である。
【００２６】
この好適な表示プログラムによると、３次元空間上で選択されているアイコンを容易に確認することができる。
【００２７】
また、本発明の表示プログラムにおいて、コンピュータを、更に、
３次元空間上に配置されたアイコンのうちの１つのアイコンを指定することで、そのアイコンと週の軸方向に並んだアイコンをまとめて選択するアイコン選択部と、
２次元空間上に配置されたマークのうち、アイコン選択部において選択されたアイコンに対応したマークを強調表示するマーク強調表示部と、としても機能させることが好適である。
【００２８】
この好適な表示プログラムによると、３次元空間上で選択されたアイコンが指し示す番組の、２次元空間上での位置を容易に確認することができる。
【００２９】
また、本発明の表示プログラムにおいて、上記データは、番組を表した、該番組の配信日時が対応付けられた番組データであり、
上記日時取得部は、上記配信日時を取得するものであることが好ましい。
【００３０】
番組を表わす番組データは、ハードディスク装置などに大量に保存されていることが多く、本発明の表示装置によって大きな効果を得ることができる。
【００３１】
また、本発明の表示プログラムにおいて、上記３次元表示部は、時間、曜日、および週それぞれを軸とする３次元空間を表示し、その３次元空間上における、日時取得部で取得された配信日時の位置に、番組のアイコンを配置するものであり、
上記２次元表示部は、曜日および週それぞれを軸とする２次元空間を表示し、その２次元空間上における、日時取得部で取得された配信日時の日に対応する位置に、その日に配信された番組が存在することを表わすマークを配置するものであることが好ましい。
【００３２】
３次元空間上のアイコンの配置位置によって、録画された番組がいつ配信されたのかを認識することができ、２次元空間上にマークが配置されているか否かを確認することによって、毎週配信されるシリーズ番組の録画し忘れがないかなどを容易に認識することができる。
【００３３】
また、本発明の表示プログラムにおいて、上記データは、被写体を撮影した撮影画像を表した、撮影画像の撮影日時が対応付けられた撮影画像データであり、
上記日時取得部は、上記撮影日時を取得するものであることも好ましい。
【００３４】
撮影画像も、記録メディアなどに大量に保存されていることが多いため、本発明の表示装置によって大きな効果を得ることができる。
【００３５】
また、本発明の表示プログラムにおいて、上記３次元表示部は、日、および時間を含む３つの時間単位それぞれを軸とする３次元空間を表示し、その３次元空間上における、日時取得部で取得された撮影日時の位置に、撮影画像のアイコンを配置するものであり、
上記２次元表示部は、日、および時間それぞれを軸とする２次元空間を表示し、その２次元空間上における、日時取得部で取得された撮影日時に対応する位置に、その撮影日時に撮影された撮影画像が存在することを表わすマークを配置するものであることが好適である。
【００３６】
この好適な表示プログラムによると、３次元空間上のアイコンの配置位置によって、同じ日に撮影された撮影画像の一覧を確認することができ、２次元空間上のマークの配置位置によって、撮影が行われた日を容易に認識することができる。
【発明の効果】
【００３７】
本発明によれば、大量のデータが保存されている場合であっても、それらのデータの一覧を見やすく表示することができる。
【図面の簡単な説明】
【００３８】
【図１】本発明の一実施形態が適用された番組配信システムの概略構成図である。
【図２】パーソナルコンピュータの内部構成図である。
【図３】録画・再生プログラムが記憶されたＣＤ−ＲＯＭを示す概念図である。
【図４】録画・再生装置の機能ブロック図である。
【図５】録画されて保存された番組の中から所望の番組を選択し、番組を再生／ダビングする一連の処理の流れを示すフローチャート図である。
【図６】３次元空間の一例を示す概念図である。
【図７】２次元空間の一例を示す概念図である。
【図８】３次元画像、２次元画像、およびスクロールバーが表示された表示画面の一例を示す図である。
【図９】週が切り替えられた後の表示画面の一例を示す図である。
【図１０】本発明の第２実施形態の録画・再生装置における表示画面の一例を示す図である。
【図１１】新たな基準期間を表わす領域に表示が切り替えられた表示画面の一例を示す図である。
【図１２】本発明の第３実施形態の録画・再生装置における表示画面の一例を示す図である。
【図１３】一覧表示プログラムが記憶されたＣＤ−ＲＯＭを示す概念図である。
【図１４】一覧表示装置の機能ブロック図である。
【図１５】３次元空間の一例を示す概念図である。
【図１６】２次元空間の一例を示す概念図である。
【図１７】３次元画像、２次元画像、およびスクロールバーが表示された表示画面の一例を示す図である。
【図１８】表示期間が変更された３次元画像および２次元画像が表示された表示画面の一例を示す図である。
【図１９】表示画面に表示された撮影画像の一例を示す図である。
【発明を実施するための形態】
【００３９】
以下、図面を参照して本発明の実施の形態を説明する。
【００４０】
図１は、本発明の一実施形態が適用された番組配信システムの概略構成図である。
【００４１】
この番組配信システム１は、番組を配信するテレビ基地局２０１およびインターネット基地局２０２と、テレビ基地局２０１およびインターネット基地局２０２から配信された番組を受信するパーソナルコンピュータ１００とで構成されている。尚、実際には、番組配信システム１には、多数の基地局や、多数のパーソナルコンピュータなどが接続されて構成されているが、図１では、本発明の説明に必要な要素のみを示している。
【００４２】
テレビ基地局２０１は、その基地局に割り当てられたチャンネルの電波を使ってテレビ番組を配信するものである。
【００４３】
インターネット基地局２０２は、インターネット回線１０を使ってインターネット専用番組を配信するものである。
【００４４】
パーソナルコンピュータ１００には、テレビ基地局２０１から配信された番組を受信するためのアンテナおよびテレビチューナー（図２参照）や、インターネット基地局２０２から配信された番組を受信するための入出力インタフェースが内蔵されている。パーソナルコンピュータ１００は、テレビ基地局２０１やインターネット基地局２０２から配信された番組を受信し、ユーザの操作に従って、受信した番組の表示や録画を行う。このパーソナルコンピュータ１００は、本発明の表示装置の一実施形態であり、以下では、このパーソナルコンピュータ１００について詳しく説明する。
【００４５】
パーソナルコンピュータ１００は、外観構成上、本体装置１０１、その本体装置１０１からの指示に応じて表示画面１０２ａ上に画像を表示する画像表示装置１０２、本体装置１０１にキー操作に応じた各種の情報を入力するキーボード１０３、および、表示画面１０２ａ上の任意の位置を指定することにより、その位置に表示された、例えばアイコン等に応じた指示を入力するマウス１０４を備えている。また、図示しないが、この本体装置１０１は、ＤＶＤやＣＤ−ＲＯＭが装填されるＣＤ／ＤＶＤ装填口、およびフレキシブルディスク（以下では、ＦＤと省略する）を装填するためのＦＤ装填口を有している。
【００４６】
図２は、パーソナルコンピュータ１００の内部構成図である。
【００４７】
本体装置１０１の内部には、図２に示すように、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、ＣＤ−ＲＯＭ３００やＤＶＤが装填され、その装填されたＣＤ−ＲＯＭ３００やＤＶＤをアクセスするＣＤ／ＤＶＤドライブ１１４、ＦＤ３１０が装填され、装填されたＦＤ３１０をアクセスするＦＤドライブ１１５、図１に示すインターネット基地局２０２から番組や番組情報を受信したり、デジタルカメラなどといった外部装置と接続され、その外部装置との間でデータの送受信を行う入出力インタフェース１１６、図１に示すテレビ基地局２０１等で発信されたテレビ用電波を受信するアンテナ１１７ａ、アンテナ１１７ａで受信された電波に基づいて映像信号を生成するテレビチューナー１１７が内蔵されており、これらの各種要素と、さらに図２にも示す画像表示装置１０２、キーボード１０３、およびマウス１０４は、バス１０５を介して相互に接続されている。
【００４８】
ここで、ＣＤ−ＲＯＭ３００には、本発明の表示プログラムの一実施形態が適用された録画・再生プログラムが記憶されている。そのＣＤ−ＲＯＭ３００はＣＤ／ＤＶＤドライブ１１４に装填され、そのＣＤ−ＲＯＭ３００に記憶された録画・再生プログラムがこのパーソナルコンピュータ１００にアップロードされてハードディスク装置１１３に記憶される。そして、この表示プログラムが起動されて実行されることにより、パーソナルコンピュータ１００内に、本発明の表示装置の一実施形態が適用された録画・再生装置５００（図４参照）が構築される。
【００４９】
次に、このパーソナルコンピュータ１００内で実行される録画・再生プログラムについて説明する。
【００５０】
図３は、録画・再生プログラムが記憶されたＣＤ−ＲＯＭ３００を示す概念図である。
【００５１】
録画・再生プログラム４００は、指示部４１１、取込部４１２、登録部４１３、番組情報・画像取得部４１４、位置算出部４１５、２次元画像生成部４１６、３次元画像生成部４１７、再生部４１８、表示部４１９、強調表示部４２０、ダビング部４２１、および制御部４２２で構成されており、さらに、指示部４１１は、一括選択部４１１１とスクロール指定部４１１２を有している。録画・再生プログラム４００の各部の詳細については、録画・再生装置５００の各部の作用と一緒に説明する。
【００５２】
尚、図３では、録画・再生プログラムを記憶する記憶媒体としてＣＤ−ＲＯＭ３００が例示されているが、本発明の表示プログラムを記憶する記憶媒体はＣＤ−ＲＯＭに限られるものではなく、それ以外の光ディスク、ＭＯ、ＦＤ、磁気テープなどの記憶媒体であってもよい。また、本発明の表示プログラムは、記憶媒体を介さずに、通信網を介して直接にコンピュータに供給されるものであってもよい。
【００５３】
図４は、録画・再生プログラム４００を図１に示すパーソナルコンピュータ１００にインストールしたときの、パーソナルコンピュータ１００内に構築される録画・再生装置５００の機能ブロック図である。
【００５４】
図４に示す録画・再生装置５００は、指示部５１１と、取込部５１２と、登録部５１３と、番組情報・画像取得部５１４と、位置算出部５１５と、２次元画像生成部５１６と、３次元画像生成部５１７と、再生部５１８と、表示部５１９と、強調表示部５２０と、ダビング部５２１と、制御部５２２と、保存部５０１とを備えており、さらに、指示部５１１は、一括選択部５１１１と、スクロール指定部５１１２とを備えている。図３に示す録画・再生プログラム４００を図１に示すパーソナルコンピュータ１００にインストールすると、録画・再生プログラム４００の指示部４１１は図４の指示部５１１を構築し、以下同様に、一括選択部４１１１は一括選択部５１１１を構築し、スクロール指定部４１１２はスクロール指定部５１１２を構築し、取込部４１２は取込部５１２を構築し、登録部４１３は登録部５１３を構築し、番組情報・画像取得部４１４は番組情報・画像取得部５１４を構築し、位置算出部４１５は位置算出部５１５を構築し、２次元画像生成部４１６は２次元画像生成部５１６を構築し、３次元画像生成部４１７は３次元画像生成部５１７を構築し、再生部４１８は再生部５１８を構築し、表示部４１９は表示部５１９を構築し、強調表示部４２０は強調表示部５２０を構築し、ダビング部４２１はダビング部５２１を構築し、制御部４２２は制御部５２２を構築する。
【００５５】
図４の各要素は、コンピュータのハードウェアとそのコンピュータで実行されるＯＳやアプリケーションプログラムとの組合せで構成されているのに対し、図３に示す録画・再生プログラム４００の各要素はそれらのうちのアプリケーションプログラムのみにより構成されている点が異なる。
【００５６】
以下、図４に示す録画・再生装置５００の各要素を説明することによって、図３に示す録画・再生プログラム４００の各要素も併せて説明する。
【００５７】
指示部５１１は、図１に示すキーボード１０３やマウス１０４がその役割を担うものであり、ユーザが表示画面１０２ａ上に表示された各種設定画面に従って入力した指示を、その指示に応じた各種要素に伝える。指示部５１１には、一括選択部５１１１と、スクロール指定部５１１２が備えられている。
【００５８】
一括選択部５１１１は、ユーザによって３次元画像上で１つの番組が指定されると、その番組と同じ週の同じ時間に配信された番組をひとまとめに選択する。一括選択部５１１１は、本発明にいうアイコン選択部の一例に相当する。
【００５９】
スクロール指定部５１１２は、２次元画像上に、３次元画像の表示を切り替えるためのスクロールバーを表示させる。スクロール指定部５１１２は、本発明にいう指定部の一例に相当する。
【００６０】
また、制御部５２２は、指示部５１１によって入力された指示に従って、図４に示す録画・再生装置５００の各要素を制御する。制御部５２２は、本発明にいう表示制御部の一例に相当する。
【００６１】
図１に示すテレビ基地局２０１から発信されたテレビ用電波は、図２に示すアンテナ１１７ａで受信され、ユーザによってテレビ番組の表示や録画が指示されると、指定されたチャンネルの電波がテレビチューナ１１７で番組信号に変換される。取込部５１２は、ユーザによってテレビ番組の表示が指示された場合は、テレビチューナ１１７から番組信号を取得して表示部５１９に転送し、ユーザによってテレビ番組の録画が指示された場合は、番組信号をデジタル化して番組データを生成し、その番組データを登録部５１３に送る。また、ユーザによってインターネット番組の表示や録画が指示されると、図１に示すインターネット基地局２０２から発信されたデジタルの番組データが図２の入出力インタフェース１１６で受信されて、取込部５１２で取得される。取込部５１２は、ユーザによってインターネット番組の表示が指示された場合は、番組データを表示部５１９に転送し、ユーザによってインターネット番組の録画が指示された場合は、番組データを登録部５１３に転送する。
【００６２】
登録部５１３は、取込部５１２から送られてきた番組データが表す番組中のシーンを切り出して縮小し、サムネイル画像を生成する。さらに、登録部５１３は、番組情報やサムネイル画像とともに、番組データを保存部５０１に記録する（すなわち、番組データが表す番組を録画する）。
【００６３】
保存部５０１は、図２に示すハードディスク装置１１３がその役割を担うものであり、録画された番組を表す番組データが、基地局２０１，２０２から配信された番組情報、および番組内のシーンが切り出されたサムネイル画像と対応付けて保存されている。このとき実際に番組データが保存されているハードディスク装置は、ネットワークに接続された先にあってもよい。
【００６４】
番組情報・画像取得部５１４は、保存部５０１に保存された番組の番組情報とサムネイル画像を取得する。番組情報・画像取得部５１４は、本発明にいう日時取得部の一例に相当する。
【００６５】
位置算出部５１５は、曜日、時間、週それぞれを軸とする３次元空間上の、番組情報・画像取得部５１４で取得された番組情報に含まれる配信日時に対応する位置（以下では、この位置を３次元上位置と称する）を算出するとともに、曜日、週それぞれを軸とする２次元空間上の、３次元上位置が対応する位置（以下では、この位置を２次元上位置と称する）とを算出する。
【００６６】
３次元画像生成部５１７は、３次元空間上の、位置算出部５１５で算出された３次元上位置に、番組情報・画像取得部５１４で取得されたサムネイル画像を配置して３次元画像を生成する。
【００６７】
２次元画像生成部５１６は、２次元空間上の、位置算出部５１５で算出された２次元上位置に、録画されている番組が存在することを示すマークを配置して２次元画像を生成する。
【００６８】
再生部５１８は、ユーザによって再生が指示された番組を表す番組データを保存部５０１から取得して、取得した番組データを表示部５１９に送る。
【００６９】
表示部５１９は、図２に示す画像表示装置１０２がその役割を担うものであり、デジタル放送の番組データに基づいて画像を表示するデジタル表示機能と、アナログ放送の番組信号に基づいて画像を表示するアナログ表示機能との両方が備えられている。表示部５１９は、取込部５１２から送られてきたアナログ放送の番組やデジタルの番組、３次元画像生成部５１７で生成された３次元画像、２次元画像生成部５１６で生成された２次元画像、および再生部５１８から送られてきた再生映像などを、図１に示す表示画面１０２ａ上に表示する。位置算出部５１５、３次元画像生成部５１７、および表示部５１９を合わせたものは、本発明にいう３次元表示部の一例にあたり、位置算出部５１５、２次元画像生成部５１６、および表示部５１９を合わせたものは、本発明にいう２次元表示部の一例に相当する。
【００７０】
強調表示部５２０は、３次元画像上で選択されているサムネイル画像を強調表示するとともに、そのサムネイル画像に対応する２次元画像上のマークを強調表示する。強調表示部５２０は、本発明にいうアイコン強調表示部の一例にあたるとともに、本発明にいうマーク強調表示部の一例にも相当する。
【００７１】
ダビング部５２１は、図２に示すＣＤ／ＤＶＤドライブ１１４がその役割を担うものであり、ユーザによってダビングが指示された番組を表す番組データを保存部５０１から取得して、取得した番組データをＤＶＤに記録する（すなわち、番組をＤＶＤにダビングする）。
【００７２】
録画・再生装置５００は、基本的には以上のように構成されている。
【００７３】
続いて、ユーザが、録画されて保存部５０１に保存された番組の中から所望の番組を選択する一連の処理について説明する。
【００７４】
図５は、録画されて保存された番組の中から所望の番組を選択し、番組を再生／ダビングする一連の処理の流れを示すフローチャート図である。
【００７５】
録画された番組の選択が行われる際には、まず、ユーザによって、保存部５０１に保存された録画番組の一覧表示が指示される。録画・再生装置５００には、録画番組の一覧を表示させるための指示画面が予め用意されており、ユーザがマウス１０４等を使って一覧表示の指示を入力すると、図４の指示部５１１から番組情報・画像取得部５１４に指示内容が伝えられる。
【００７６】
番組情報・画像取得部５１４では、保存部５０１に保存されている番組情報、およびサムネイル画像が取得される（図５のステップＳ１、ステップＳ２）。
【００７７】
番組情報を取得するステップＳ１の処理は、本発明の表示方法における配信日時取得過程の一例に相当する。取得された番組情報は、位置算出部５１５に伝えられ、取得されたサムネイル画像は、３次元画像生成部５１７に伝えられる。
【００７８】
位置算出部５１５では、時間、曜日、週を３軸とする３次元空間上の、番組情報・画像取得部５１４から伝えられた番組情報に含まれる配信日時が対応する３次元上位置と、曜日、週を２軸とする２次元空間上の、３次元上位置に対応する２次元上位置が算出される（図５のステップＳ３）。
【００７９】
図６は、３次元空間の一例を示す概念図であり、図７は、２次元空間の一例を示す概念図である。
【００８０】
図６に示すように、本実施形態においては、曜日をＸ軸（横方向）、時間をＹ軸（縦方向）、週をＺ軸（奥行き方向）とする３次元空間が適用される。
【００８１】
３次元空間のＸ軸には、日曜日を起点として、月曜日、火曜日、…、土曜日が順に割り付けられており、配信日時（ＹＹＹＹ年ＭＭ月ＤＤ日  ＨＨ時ＰＰ分）の日付「ＹＹＹＹ年ＭＭ月ＤＤ日」に基づいて、Ｘ軸上の値である曜日が算出される。日付から曜日を算出する方法については、従来から広く知られているため、本明細書では説明を省略する。
【００８２】
３次元空間のＹ軸には、２３時を起点として、２２時、２１時、…、１時、０時と順に割り付けられている。配信日時（ＹＹＹＹ年ＭＭ月ＤＤ日  ＨＨ時ＰＰ分）の「時間ＨＨ」がＹ軸上の値として取得される。
【００８３】
３次元空間のＺ軸には、今週を起点として、先週、先々週、…と順に割り付けられており、配信日時（ＹＹＹＹ年ＭＭ月ＤＤ日  ＨＨ時ＰＰ分）の日付「ＹＹＹＹ年ＭＭ月ＤＤ日」と今日の日付とに基づいて、Ｚ軸上の値である週が算出される。
【００８４】
また、図７に示すように、本実施形態においては、曜日をＸ軸（横方向）、週をＹ軸（縦方向）とする２次元空間が適用される。
【００８５】
２次元空間のＸ軸には、図６に示す３次元空間のＸ軸と同様に、日曜日を起点として、月曜日、火曜日、…、土曜日が順に割り付けられており、３次元空間におけるＸ軸上の値がそのまま２次元空間におけるＸ軸上の値として算出される。
【００８６】
２次元空間のＹ軸には、今週を起点として、先週、先々週、…と順に割り付けられており、３次元空間におけるＺ軸上の値がそのまま２次元空間におけるＹ軸上の値として算出される。
【００８７】
例えば、同じ日の異なる時間に複数の番組が録画されると、３次元空間上の位置としては、各番組の配信日時のうちの「時間ＨＨ」それぞれに対応した複数の位置が算出されるが、２次元空間上の位置としては、それら複数の番組に対して同じ位置が算出される。すなわち、２次元空間上のマークは、その日に録画された番組が１つ以上存在することを示している。
【００８８】
算出された２次元空間上の位置（２次元上位置）は、２次元画像生成部５１６に伝えられ、３次元空間上の位置（３次元上位置）は、３次元画像生成部５１７に伝えられる。
【００８９】
２次元画像生成部５１６では、２次元空間上の、位置算出部５１５から伝えられた２次元上位置に、録画されている番組が存在することを示すマークが配置されて２次元画像が生成される（図５のステップＳ４）。生成された２次元画像は、表示部５１９に伝えられる。
【００９０】
スクロール指定部５１１２では、表示部５１９に、２次元空間上に曜日の軸に沿ったスクロールバーを表示させる指示が伝えられる。
【００９１】
また、３次元画像生成部５１７では、番組情報・画像取得部５１４から送られてきたサムネイル画像が、３次元空間上の、位置算出部５１５から伝えられた位置に配置されて３次元画像が生成される（図５のステップＳ５）。生成された３次元画像は、表示部５１９に伝えられる。
【００９２】
表示部５１９は、２次元画像生成部５１６から伝えられた２次元画像と、３次元画像生成部５１７から伝えられた３次元画像と、スクロール指定部５１１２によって指示されたスクロールバーを表示画面１０２ａ上に表示する（図５のステップＳ６）。図５のステップＳ６における３次元画像を表示する過程は、本発明の表示方法における３次元画像表示過程の一例にあたり、２次元画像を表示する過程は、本発明の表示方法における２次元画像表示過程の一例に相当する。
【００９３】
図８は、３次元画像６１０、２次元画像６２０、およびスクロールバー６２３が表示された表示画面１０２ａの一例を示す図である。
【００９４】
尚、本実施形態では、１年が１月〜３月、４月〜６月、７月〜９月、および１０月〜１２月の計４つの基準期間に区切られており、３次元画像６１０および２次元画像６２０では、それらのうちの１つの基準期間を表わす領域のみが表示されている。尚、以下では、同じ曜日の同じ時間に配信される番組には同じ番号を付し、さらに、末尾に付された番号によって各番組が配信された週を区別する。
【００９５】
図８に示す３次元画像６１０では、初期状態においては、一般的に番組の録画が行われることが多い７時から２３時に配信されて録画された番組の一覧が表示されており、ユーザがポインタ６０１を使って３次元スクロールバー６０２を移動させることによって、０時から６時までの間に配信されて録画された番組の一覧を表示させることができる。また、決まった曜日の同じ時間に配信された番組のサムネイル画像６１２＿１，６１３＿１，６１４＿１がＸ軸（曜日）に沿って一直線上に並べられて表示されており、毎週、同じ曜日の同じ時間に配信された番組のサムネイル画像６１１＿１，６１１＿２，６１１＿３，６１１＿４，６１１＿５がＺ軸に沿って一直線上に並べられて表示されている。
【００９６】
このように、本実施形態の録画・再生装置５００によると、同じ時間に配信される番組のサムネイル画像は３次元画像６１０中で同一線上に並ぶため、それらの番組が毎週同じ曜日に配信される連続ドラマや、同じ時間に配信されるニュースなどといった関連した番組であることを視覚的に確認することができる。
【００９７】
また、図８に示す２次元画像６２０では、Ｘ軸を曜日、Ｙ軸を週とする２次元空間上の、３次元画像６１０上で各サムネイル画像が配置された位置と対応する位置にマーク６２１が表示されている。マーク６２１は、その日に録画された番組が存在することを示しており、同じ曜日に録画された番組が存在する場合には、マーク６２１はＹ軸（週方向）に沿って並べて表示される。
【００９８】
３次元画像６１０では、毎週、同じ曜日の同じ時間に配信された番組のサムネイル画像６１１＿１，６１１＿２，６１１＿３，６１１＿４，６１１＿５が奥行き方向（Ｚ軸）に沿って並べられるため、同じ曜日に配信される番組を録画し忘れても、シリーズ番組の一部が欠けてしまっていることに気づきにくいという問題がある。本実施形態の録画・再生装置５００によると、２次元画像６２０を確認することによって、同じ曜日に配信される番組の録画し忘れなどを容易に認識することができる。
【００９９】
さらに、２次元画像６２０には、Ｙ軸（週）に沿って延び、２次元画像６２０上で週を指定するスクロールバー６２３と、スクロールバー６２３によって選択されている週の範囲を取り囲む枠６２２と、上述した期間を切り替えるための期間変更ボタン６２４と、および週を切り替える週変更ボタン６２５も表示されている。
【０１００】
図８では、スクロールバー６２３によって１つの基準期間のうちの最も新しい週が選択されており、３次元画像６１０では、その選択された週に配信された番組のサムネイル画像６１１＿１，６１２＿１，６１３＿１，６１４＿１が最前面にくるように配置されている。ユーザがポインタ６０１を使ってスクロールバー６２３を移動させると、図４に示すスクロール指定部５１１２においてスクロール量に応じて週が切り替えられ、切り替えられた週が制御部５２２に伝えられる。制御部５２２は、２次元画像生成部５１６および３次元画像生成部５１７それぞれに週を切り替える指示を伝えることにより、２次元画像６２０上の枠６２２を切り替えられた週の位置まで移動させるとともに、３次元画像６１０上のサムネイル画像を切り替えられた週のサムネイル画像が最前面にくるように配置しなおさせる。
【０１０１】
図９は、週が切り替えられた後の表示画面１０２ａの一例を示す図である。
【０１０２】
図９では、２次元画像６２０上の枠６２２が基準期間のうちの２番目に新しい週の位置に移動されており、３次元画像６１０は、その２番目に新しい週に配信された番組のサムネイル画像６１１＿２，６１２＿２，６１３＿２，６１４＿２が最前面にくるように配置されている。スクロールバー６２３を利用することによって、ユーザは容易に３次元画像６１０の表示を切り替えることができる。
【０１０３】
ここで、ユーザがポインタ６０１を使って３次元画像６１０上のサムネイル画像を１つ指定すると（図５のステップＳ５：Ｙｅｓ）、指定内容が図４の指示部５１１の一括選択部５１１１に伝えられる。一括選択部５１１１では、指定されたサムネイル画像とＺ軸方向（週方向）に並んだサムネイル画像がまとめて選択され、選択されたサムネイル画像が強調表示部５２０に伝えられる。強調表示部５２０では、３次元画像６１０上の、選択されたサムネイル画像が強調表示されるとともに、２次元画像６２０上の、選択されたサムネイル画像に対応するマークが強調表示される（図５のステップＳ８）。
【０１０４】
図９では、ユーザによって最前面のサムネイル画像６１１＿２が指定されることにより、そのサムネイル画像６１１＿２が表わす番組と同じ曜日の同じ時間に配信された番組を表わすサムネイル画像６１１＿３，６１１＿４，６１１＿５もまとめて選択されている。また、選択されたサムネイル画像６１１＿２，６１１＿３，６１１＿４，６１１＿５が強調表示（枠取り表示）されるとともに、２次元画像６２０上の、それら選択されたサムネイル画像６１１＿２，６１１＿３，６１１＿４，６１１＿５が表わす番組の配信日時に対応する位置に配置されたマーク６２１´も強調表示（白抜き表示）されている。このように、本実施形態の録画・再生装置５００によると、同じ週の同じ時間に配信されるシリーズ番組などを３次元画像６１０上で容易に選択することができるとともに、２次元画像６２０上で強調表示されているマークを目視することによって、それらの番組を確実に選択できているか否かを確認することができる。
【０１０５】
ここで、ユーザが図１に示すマウス１０４を右クリックすると、選択したサムネイル画像６１１＿２，６１１＿３，６１１＿４，６１１＿５の番組を再生／ダビングする指示を選択するためのポップアップウィンドウ（図示しない）が表示される。
【０１０６】
ユーザがポインタ６０１を使ってポップアップウィンドウ上に表示された指示を選択すると（図７のステップＳ９）、指示内容が図４の再生部５１８やダビング部５２１に伝えられる。「再生」が選択された場合には、再生部５１８において、選択されたサムネイル画像６１１＿２，６１１＿３，６１１＿４，６１１＿５の番組を表す番組データが保存部５０１から取得され、取得された番組データが表示部５１９に伝えられることによって、その番組データが表す番組が表示画面１０２ａ上に表示される。「ＤＶＤ」が選択された場合には、ダビング部５２１において番組データが取得され、取得された番組データが図２に示すＣＤ／ＤＶＤドライブ１１４を介して、ＣＤ−ＲＯＭ３００に替えてパーソナルコンピュータ１００に装填されたＤＶＤ（図示しない）に記憶される（図７のステップＳ１０）。
【０１０７】
以上のように、本実施形態によると、多くの録画番組が保存部５０１に保存されており、３次元画像６１０上で奥行き方向のサムネイル画像が重なってしまっていても、２次元画像６２０を確認することによって、どの日に番組を録画したのかを容易に認識することができ、毎週配信されるシリーズ番組の録画し忘れがないかなどを容易に確認することができる。
【０１０８】
以上で、本発明の第１実施形態の説明を終了し、本発明の第２実施形態について説明する。本発明の第２実施形態は、生成される３次元画像が第１実施形態とは異なるが、第１実施形態と同様の構成を有しているため、図４を第２実施形態の説明でも流用し、第１実施形態との相違点についてのみ説明する。
【０１０９】
本発明の第２実施形態の録画・再生装置では、サムネイル画像が配置されない領域が省かれた３次元画像が生成される。すなわち、図４に示す３次元画像生成部５１７では、曜日、時間、週を３軸とする３次元空間において、時間軸上の、サムネイル画像が配置されない領域が省かれ、不要な領域が省かれた３次元空間上にサムネイル画像が配置される。
【０１１０】
図１０は、本実施形態の録画・再生装置における表示画面の一例を示す図である。
【０１１１】
図１０に示す３次元画像６３０では、Ｙ軸（時間軸）において、サムネイル画像が配置される位置とその前後１時間とのそれぞれに対応する領域を除く領域が省かれている。この例では、サムネイル画像が配置される８時と２２時、およびそれらの前後である７時、９時、２１時、２３時に対応する合計で６時間分の領域のみが表示され、これらの領域を除く領域が省かれている。このように、３次元空間上の不要な領域を省くことによって、サムネイル画像が配置される領域を広げることができる。
【０１１２】
ここで、ユーザが図１に示すマウス１０４を右クリックすると、サムネイル画像を選択するためのポップアップウィンドウ６４０が表示される。本実施形態では、同じ週の同じ時間に配信された番組を表わすサムネイル画像をまとめて選択するための「奥行きメニュー」、同じ日の同じ時間に配信された番組を表わすサムネイル画像をまとめて選択するための「行メニュー」、同じ日に配信された番組を表わすサムネイル画像をまとめて選択するための「列メニュー」、および同じ週に配信された番組を表わすサムネイル画像をまとめて選択するための「面メニュー」が用意されている。図１０の例では、ユーザによってポップアップウィンドウ６４０の「面メニュー」が指定され、同じ週に配信された番組を表わすサムネイル画像６３１＿１，６３２＿１，６３３＿１，６３４＿１，６３５＿１，６３６＿１，６３７＿１がまとめて選択されて強調表示（点灯表示）されている。さらに、２次元画像６２０上の、それらサムネイル画像６３１＿１，６３２＿１，６３３＿１，６３４＿１，６３５＿１，６３６＿１，６３８＿１に対応するマーク画像６２１´も強調表示（白抜き表示）されている。このように、選択されているサムネイル画像と、それらサムネイル画像に対応するマーク画像を強調表示することによって、現在、選択されているサムネイル画像が表わす番組がいつ配信されたものなのかを視覚的に容易に確認することができる。
【０１１３】
また、ユーザがスクロールバー６２３をスクロールすると、枠６２２が移動するとともに、枠６２２の位置が表わす週が最前面にくるように３次元画像６３０が切り替えられる。スクロールバー６２３が２次元画像６２０上に表示されている領域を超えた領域までスクロールされると、２次元画像６２０および３次元画像６１０が、その新たに指定された週が属する基準期間を表わす領域に表示が切り替えられる。
【０１１４】
図１１は、新たな基準期間を表わす領域に表示が切り替えられた表示画面の一例を示す図である。
【０１１５】
図１０では、２次元画像６２０および３次元画像６１０において、１０月〜１２月の基準期間に含まれる領域が表示されているが、ユーザによって図１０の２次元画像６２０上の一番古い週を超えてスクロールバー６２３がスクロールされると、図１１に示すように、２次元画像６２０および３次元画像６１０において、図１０の基準期間よりも１つ前の７月〜９月の基準期間に含まれる領域が表示される。３次元画像６１０では、その７月〜９月に配信されて録画された番組のサムネイル画像６５１＿１，６５２＿１，６５３＿１，６５４＿１，６５５＿１，６５６＿１，６５７＿１が配置されており、２次元が像６２０では、それらのサムネイル画像が配置された位置に対応する位置にマーク画像６２１が配置されている。毎週、同じ時間に配信される連続ドラマなどといったシリーズ番組は、数ヶ月ごとに番組が入れ替えられることが多い。本実施形態のように、基準期間ごとに２次元画像６２０および３次元画像６１０の表示を切り替えることによって、同じシリーズの番組の録画状況をまとめて確認することができる。
【０１１６】
以上で、本発明の第２実施形態の説明を終了し、本発明の第３実施形態について説明する。本発明の第３実施形態についても、生成される３次元画像が第１実施形態とは異なるが、第１実施形態とほぼ同様の構成を有しているため、図４を第３実施形態の説明でも流用し、第１実施形態との相違点についてのみ説明する。
【０１１７】
図１２は、本実施形態の録画・再生装置における表示画面の一例を示す図である。
【０１１８】
本実施形態の録画・再生装置では、表示画面の左下を原点とする３次元空間（図８参照）に代えて、表示画面の中央付近を消失点とする３次元空間が適用されており、そのような３次元空間上に、サムネイル画像に代えて、番組のジャンルを表わすジャンル画像６６１が配置された３次元画像６６０が表示されている。このように、表示画面の中央付近を消失点とする３次元画像６６０が表示されることによって、サムネイル画像やジャンル画像の奥行き方向の重なりが見やすくなり、録画番組がどの程度蓄積されているのかを視覚的に確認することができる。
【０１１９】
以上で、本発明の第３実施形態の説明を終了し、本発明の第４実施形態について説明する。本発明の第４実施形態は、番組を表わす番組データに代えて、撮影画像を表わす撮影画像データの一覧が表示される点が第１実施形態とは異なる。以下では、第１実施形態と同じ要素については同じ符号を付して説明を省略し、第１実施形態との相違点についてのみ説明する。
【０１２０】
図１３は、一覧表示プログラムが記憶されたＣＤ−ＲＯＭ３００´を示す概念図である。
【０１２１】
一覧表示プログラム４００´には、図３に示す第１実施形態の録画・再生プログラム４００と同様の、取込部４１２、登録部４１３、位置算出部４１５、２次元画像生成部４１６、３次元画像生成部４１７、表示部４１９、強調表示部４２０、および制御部４２２が備えられているとともに、第１実施形態の録画・再生プログラム４００とは異なる指示部４１１´、撮影情報・画像取得部４１４´、画像記憶部４２１´、および数表示部４２３も備えられている。さらに、一覧表示プログラム４００´の指示部４１１´は、期間指定部４１１０と、一括選択部４１１１と、スクロール指定部４１１２と、マーク選択部４１１３とを有している。
【０１２２】
図１４は、一覧表示プログラム４００´を図１に示すパーソナルコンピュータ１００にインストールしたときの、パーソナルコンピュータ１００内に構築される一覧表示装置５００´の機能ブロック図である。
【０１２３】
図１４に示す一覧表示装置５００´は、図４に示す第１実施形態の録画・再生装置５００と同様の、取込部５１２と、登録部５１３と、位置算出部５１５と、２次元画像生成部５１６と、３次元画像生成部５１７と、表示部５１９と、強調表示部５２０と、制御部５２２と、保存部５０１に加えて、指示部５１１´、撮影情報・画像取得部５１４´、画像記憶部５２１´、および数表示部５２３を備えており、さらに、指示部５１１´は、期間指定部５１１０と、一括選択部５１１１と、スクロール指定部５１１２と、マーク選択部５１１３とを備えている。図１３に示す一覧表示プログラム４００´を図１に示すパーソナルコンピュータ１００にインストールすると、一覧表示プログラム４００´の指示部４１１´は図１４の指示部５１１´を構築し、以下同様に、期間指定部４１１０は期間指定部５１１０を構築し、一括選択部４１１１は一括選択部５１１１を構築し、スクロール指定部４１１２はスクロール指定部５１１２を構築し、マーク選択部４１１３はマーク選択部５１１３を構築し、取込部４１２は取込部５１２を構築し、登録部４１３は登録部５１３を構築し、撮影情報・画像取得部４１４´は撮影情報・画像取得部５１４´を構築し、位置算出部４１５は位置算出部５１５を構築し、２次元画像生成部４１６は２次元画像生成部５１６を構築し、３次元画像生成部４１７は３次元画像生成部５１７を構築し、表示部４１９は表示部５１９を構築し、強調表示部４２０は強調表示部５２０を構築し、画像記憶部４２１´は画像記憶部５２１´を構築し、制御部４２２は制御部５２２を構築し、数表示部４２３は数表示部５２３を構築する。
【０１２４】
以下、図１４に示す一覧表示装置５００´の各要素を説明することによって、図１３に示す一覧表示プログラム４００´の各要素も併せて説明する。
【０１２５】
本実施形態の一覧表示装置５００´は、被写体が撮影された撮影画像を表わす撮影画像データの一覧を表示するとともに、ユーザによって選択された撮影画像を記録媒体などに記録するものである。
【０１２６】
図１４に示す取込部５１２には、図１に示すパーソナルコンピュータ１００に、デジタルカメラが接続されたり、撮影画像が記録された記録メディアが接続されることによって、撮影日時や撮影条件などを示す撮影情報が付加された撮影画像が取得される。取得された撮影画像データや撮影情報は、登録部５１３に伝えられる。
【０１２７】
登録部５１３は、取込部５１２から送られてきた撮影画像データが表す撮影画像を縮小してサムネイル画像を生成し、撮影情報やサムネイル画像とともに、撮影画像データを保存部５０１に保存する。
【０１２８】
本実施形態の一覧表示装置５００´には、撮影画像の一覧を表示させるための指示画面が予め用意されている。ユーザがマウス１０４等を使って一覧表示の指示を入力すると、図１４の指示部５１１´から撮影情報・画像取得部５１４´に指示内容が伝えられる。
【０１２９】
撮影情報・画像取得部５１４´では、保存部５０１に保存されている撮影情報、およびサムネイル画像が取得される。取得された撮影情報は、位置算出部５１５に伝えられ、取得されたサムネイル画像は、３次元画像生成部５１７に伝えられる。
【０１３０】
本実施形態の位置算出部５１５では、１日を４時間毎に区切る軸、４時間をさらに１時間毎に区切る軸、１日を示す軸それぞれを３軸とする３次元空間上の、撮影情報・画像取得部５１４´から伝えられた撮影情報に含まれる撮影日時が対応する３次元上位置と、１日を４時間毎に区切る軸、１日を示す軸それぞれを２軸とする２次元空間上の、３次元上位置に対応する２次元上位置が算出される。
【０１３１】
図１５は、３次元空間の一例を示す概念図であり、図１６は、２次元空間の一例を示す概念図である。
【０１３２】
図１５に示すように、本実施形態においては、１日を４時間毎に区切った値をＹ軸（縦方向）、Ｙ軸に割り当てられた４時間をさらに１時間毎に区切った値をＸ軸（横方向）、１日をＺ軸（奥行き方向）とする３次元空間が適用される。
【０１３３】
３次元空間のＸ軸には、１を起点として、２，３，４の値が順に割り付けられており、撮影日時（ＹＹＹＹ年ＭＭ月ＤＤ日  ＨＨ時ＰＰ分）の「時間ＨＨ」を４で割った値に１を加えた値がＸ軸上の値として取得される。
【０１３４】
３次元空間のＹ軸には、２３時〜２０時の間の４時間を起点として、１９時〜１６時、…、７時〜４時、３時〜０時と４時間ごとに順に割り付けられている。撮影日時（ＹＹＹＹ年ＭＭ月ＤＤ日  ＨＨ時ＰＰ分）の「時間ＨＨ」を４で割った値がＹ軸上の値として取得される。
【０１３５】
３次元空間のＺ軸には、今日を起点として、昨日、おととい、…と順に割り付けられており、撮影日時（ＹＹＹＹ年ＭＭ月ＤＤ日  ＨＨ時ＰＰ分）の日付「ＹＹＹＹ年ＭＭ月ＤＤ日」に基づいて、Ｚ軸上の値が算出される。
【０１３６】
また、図１６に示すように、本実施形態においては、１日を４時間毎に区切った値をＸ軸（横方向）、１日をＹ軸（縦方向）とする２次元空間が適用される。
【０１３７】
２次元空間のＸ軸には、図１５に示す３次元空間のＹ軸と同様に、２３時〜２０時の間の４時間を起点として、１９時〜１６時、…、７時〜４時、３時〜０時と４時間ごとに順に割り付けられおり、３次元空間におけるＹ軸上の値がそのまま２次元空間におけるＸ軸上の値として算出される。
【０１３８】
２次元空間のＹ軸には、今日を起点として、昨日、おととい、…と順に割り付けられており、３次元空間におけるＺ軸上の値がそのまま２次元空間におけるＹ軸上の値として算出される。
【０１３９】
２次元画像生成部５１６では、２次元空間上の、位置算出部５１５で算出された２次元上の位置に、撮影画像が存在することを示すマークが配置されて２次元画像が生成され、３次元画像生成部５１７では、３次元空間上の、位置算出部５１５で算出された３次元空間上の位置に、撮影情報・画像取得部５１４´から伝えられたサムネイル画像が配置されて３次元画像が生成される。生成された２次元画像、３次元画像、およびスクロールバーは、表示部５１９によって表示画面１０２ａ上に表示される。また、数表示部５２３では、３次元画像上で最前面に表示される撮影画像の枚数が算出され、算出された撮影枚数が２次元画像上に表示される。数表示部５２３は、本発明にいうデータ数表示部の一例に相当する。
【０１４０】
図１７は、３次元画像７００、２次元画像７２０、およびスクロールバー７２３が表示された表示画面１０２ａの一例を示す図である。
【０１４１】
尚、一覧表示が指示されて、３次元画像７００、２次元画像７２０、およびスクロールバー７２３が表示された初期状態においては、３次元画像７００および２次元画像７２０には、今日を起点として１週間分の期間を表わす領域のみが表示されている。
【０１４２】
図１７に示す３次元画像７００では、同じ日に撮影された撮影画像のサムネイル画像７１０は同一面上に並べて表示されている。各サムネイル画像７１０のＹ軸上の位置は、そのサムネイル画像７１０が表わす撮影画像が撮影された時間帯（４時間毎）を示しており、各サムネイル画像７１０のＸ軸上の位置は、Ｙ軸が示す時間帯の中での１時間毎の時間を示している。例えば、サムネイル画像７１０のＹ軸上の位置が「８時〜１１時」で、Ｘ軸上の位置が「２」である場合、その配置位置は、サムネイル画像７１０が撮影された時間が、Ｙ軸上の位置が示す時間帯「８、９、１０、１１時」のうちの２番目に早い時間の「９時」であることを示している。
【０１４３】
このように、本実施形態の一覧表示装置５００´によると、同じ日に撮影された撮影画像のサムネイル画像は３次元画像７００中で同一面上に並ぶため、例えば、旅行に行ったときの撮影画像などをまとめて確認することができる。
【０１４４】
また、図１７に示す２次元画像７２０では、Ｘ軸を４時間毎の値、Ｙ軸を日とする２次元空間上の、３次元画像７００上で各サムネイル画像７１０が配置された位置と対応する位置にマーク７２１が表示されている。マーク７２１は、Ｙ軸が示す「日」の、Ｘ軸が示す「時間帯」に撮影された撮影画像が存在することを示している。
【０１４５】
このように、本実施形態の一覧表示装置５００´によると、２次元画像７２０を確認することによって、所定の日に撮影された撮影画像が存在するか否かを容易に確認することができる。
【０１４６】
さらに、２次元画像７２０には、Ｙ軸（日）に沿って延び、２次元画像７２０上で日を指定するスクロールバー７２３と、スクロールバー７２３によって選択されている日の範囲を取り囲む枠７２２と、枠７２２に取り囲まれた撮影日時に撮影された撮影画像の枚数を示す数表示部７２４も表示されている。枠７２２に取り囲まれた撮影日時は、３次元画像７００上で最前面に表示されている撮影画像の撮影日であり、数表示部７２４を確認することによって、同じ日に撮影された撮影画像の枚数を容易に認識することができる。
【０１４７】
ユーザがスクロールバー７２３をスクロールすると、枠７２２が移動するとともに、枠７２２の位置が表わす日が最前面にくるように３次元画像７００が切り替えられ、３次元画像７００上で最前面に表示されている撮影画像の数が数表示部７２４に表示される。
【０１４８】
ここで、ユーザがマウスの右ボタンをクリックすると、３次元画像７００および２次元画像７２０に表示する期間の長さを指定するための期間指定画面８００が表示される。ユーザが期間指定画面８００に期間を入力すると、図１４に示す期間指定部５１１０から撮影情報・画像取得部５１４´に、２次元画像７２０および３次元画像７００上の表示期間を、枠７２２によって指定されている日から、期間指定画面８００に入力された期間の長さの間の期間に変更する指示が伝えられる。期間指定部５１１０は、本発明にいう期間指定部の一例に相当する。
【０１４９】
表示期間の変更が指示されると、撮影情報・画像取得部５１４´では、保存部５０１に保存されている撮影画像データのうち、指示された表示期間内の撮影日時が対応付けられた撮影画像データが取得され、取得された撮影画像データが位置算出部５１５、２次元画像生成部５１６、および３次元画像生成部５１７に伝えられる。位置算出部５１５では、伝えられた撮影画像データの位置が算出され、２次元画像生成部５１６、および３次元画像生成部５１７では、新たな２次元画像および３次元画像が生成される。生成された２次元画像および３次元画像は、表示部５１９によって表示画面１０２ａ上に表示される。
【０１５０】
図１８は、表示期間が変更された３次元画像７００および２次元画像７２０が表示された表示画面１０２ａの一例を示す図である。
【０１５１】
図１８には、図１７に示すように、枠７２２によって２次元画像７２０上における最新の撮影日が選択された状態で、期間指定画面８００に「１日間」が入力された場合の３次元画像７００および２次元画像７２０が示されている。３次元画像７００上には、最新の撮影日に撮影された撮影画像のサムネイル画像７１０のみが表示されており、２次元画像７２０にも、最新の撮影日のマーク７２１のみが表示されている。このように、２次元画像７２０および３次元画像７００上の表示期間を指定することによって、所望の期間内に撮影された撮影画像のみを確認することができる。
【０１５２】
また、例えば、ユーザが図１７に示す２次元画像７２０上の、左から２つ目で下から２つ目のマーク７２２１をマウス１０４で選択すると、図１４のマーク選択部５１１３から撮影情報・画像取得部５１４´に、その選択されたマーク７２２１の配置位置が示す撮影日、および撮影時間帯が伝達される。マーク選択部５１１３は、本発明にいうマーク選択部の一例に相当する。
【０１５３】
撮影情報・画像取得部５１４´では、伝えられた撮影日および撮影時間帯に属する撮影日時が対応付けられた撮影画像が保存部５０１から取得され、取得された撮影画像が表示部５１９に伝えられる。表示部５１９では、撮影情報・画像取得部５１４´から伝えられた撮影画像が表示画面１０２ａに表示される。
【０１５４】
図１９は、表示画面１０２ａに表示された撮影画像の一例を示す図である。
【０１５５】
図１９には、選択された撮影画像を表示するための撮影画像表示画面９００が表示されている。撮影画像表示画面９００には、選択された撮影画像９１０と、図１７に示す３次元画像７００を表示するための３次元表示ボタン９０１が備えられている。このように、２次元画像７２０上でマーク７２２１を選択することによって、３次元画像７００上で奥行き方向に並んで選択しにくい撮影画像も容易に選択することができる。
【０１５６】
ここで、上記では、表示装置としてパーソナルコンピュータが適用される例について説明したが、本発明の表示装置は、ビデオデッキなどであってもよい。
【０１５７】
また、上記では、番組を表わす番組データや、撮影画像を表わす撮影画像データの一覧を表示する例について説明したが、本発明にいうデータは、日時が対応付けられたものであれば、例えば、文書を表わす文書データなどであってもよい。
【０１５８】
また、上記では、番組や撮影画像を登録する際にサムネイル画像を生成する例について説明したが、本発明にいう３次元表示部は、番組や撮影画像の一覧を表示させる際にサムネイル画像を表示するものであってもよい。
【符号の説明】
【０１５９】
１００    パーソナルコンピュータ
１０１    本体装置
１０２    画像表示装置
１０２ａ    表示画面
１０３    キーボード
１０４    マウス
１０５    バス
１１１    ＣＰＵ
１１２    主メモリ
１１３    ハードディスク装置
１１４    ＣＤ／ＤＶＤドライブ
１１５    ＦＤドライブ
１１６    入出力インタフェース
１１７    テレビチューナー
１１７ａ    アンテナ
２０１    テレビ基地局
２０２    インターネット基地局
４００    録画・再生プログラム
４１１    指示部
４１１１    一括選択部
４１１２    スクロール指定部
４１２    取込部
４１３    登録部
４１４    番組情報・画像取得部
４１５    位置算出部
４１６    ２次元画像生成部
４１７    ３次元画像生成部
４１８    再生部
４１９    表示部
４２０    強調表示部
４２１    ダビング部
４２２    制御部
５００    録画・再生装置
５１１    指示部
５１１１    一括選択部
５１１２    スクロール指定部
５１２    取込部
５１３    登録部
５１４    番組情報・画像取得部
５１５    位置算出部
５１６    ２次元画像生成部
５１７    ３次元画像生成部
５１８    再生部
５１９    表示部
５２０    強調表示部
５２１    ダビング部
５２２    制御部
【図１】
2011103697.tif 000003
【図２】
2011103697.tif 000004
【図３】
2011103697.tif 000005
【図４】
2011103697.tif 000006
【図５】
2011103697.tif 000007
【図６】
2011103697.tif 000008
【図７】
2011103697.tif 000009
【図８】
2011103697.tif 000010
【図９】
2011103697.tif 000011
【図１０】
2011103697.tif 000012
【図１１】
2011103697.tif 000013
【図１２】
2011103697.tif 000014
【図１３】
2011103697.tif 000015
【図１４】
2011103697.tif 000016
【図１５】
2011103697.tif 000017
【図１６】
2011103697.tif 000018
【図１７】
2011103697.tif 000019
【図１８】
2011103697.tif 000020
【図１９】
2011103697.tif 000021